(57)【要約】【課題】受け皿（下皿）の球抜き孔から落下した遊技球が、球箱の底面で勢いよくバウンドして球箱から飛び出す不都合を解消し、遊技球の飛び出しによる遊技者の損失を防止すると共に、ホール内における遊技球の散乱を回避する。【解決手段】遊技球を溜める下皿７の底部に、遊技球を球箱１４に排出するための球抜き孔７ｄが形成されたパチンコ遊技機１において、下皿７の下部に、球抜き孔７ｄから落下する遊技球に干渉し、遊技球の落下速度を低減させる落下速度低減部１６を設けることにより、球抜き孔７ｄから落下した遊技球が球箱１４の底面で勢いよくバウンドすることを抑制する。【選択図】図３
2007144042.tif 000002
【特許請求の範囲】
【請求項１】
遊技球を溜める受け皿に、遊技球を球箱に排出するための球抜き孔が形成された弾球遊技機において、前記受け皿の下部には、前記球抜き孔から落下する遊技球に干渉し、遊技球の落下速度を低減させる落下速度低減部が設けられることを特徴とする弾球遊技機。
【請求項２】
前記落下速度低減部は、前記球抜き孔から落下する遊技球に干渉し、かつ、干渉した遊技球を左右方向及び／又は前後方向に誘導する傾斜面を備えることを特徴とする請求項１記載の弾球遊技機。
【請求項３】
前記落下速度低減部は、前記受け皿に対して着脱自在に設けられることを特徴とする請求項１又は２記載の弾球遊技機。
【請求項４】
前記落下速度低減部は、前記受け皿に対して上下位置調節自在に設けられることを特徴とする請求項１〜３のいずれかに記載の弾球遊技機。
【発明の詳細な説明】
【技術分野】
【０００１】
本発明は、パチンコ遊技機などの弾球遊技機に関し、特に、遊技球を溜める受け皿に、遊技球を球箱に排出するための球抜き孔が形成された弾球遊技機に関する。
【背景技術】
【０００２】
一般に、パチンコ遊技機などの弾球遊技機には、遊技球を溜めるための受け皿（上皿、下皿）が設けられている（例えば、特許文献１参照）。受け皿には、通常、開閉自在な球抜き孔が形成されており、この球抜き孔を開放すると、受け皿に溜った遊技球を球箱（ドル箱）に排出することが可能になる。以下、従来例に係るパチンコ遊技機の球抜き状態について、図９を参照して説明する。
【０００３】
図９に示すように、受け皿１００から遊技球を抜く場合は、受け皿１００の下方に球箱１０１を置き、受け皿１００の球抜き孔１０２を開放する。球抜き孔１０２を開放すると、受け皿１００内に溜った遊技球が球抜き孔１０２から順次落下する。球抜き孔１０２から落下した遊技球は、球箱１０１の底面又は球箱１０１内の遊技球に当たり、球箱１０１内に山積み状に溜まる。
【特許文献１】特開２００１−３０００８２号公報
【発明の開示】
【発明が解決しようとする課題】
【０００４】
しかしながら、従来の弾球遊技機では、受け皿から遊技球を抜く際、球箱の深さが浅かったり、島の球箱載置面が低かったりすると、受け皿の球抜き孔から落下した遊技球が球箱の底面で勢いよくバウンドし、球箱から飛び出してしまうことがある。このような遊技球の飛び出しは、遊技者に損失を与えるだけでなく、ホール内に遊技球を散乱させる原因となるので、可及的に防止することが望まれている。
【課題を解決するための手段】
【０００５】
本発明は、上記の如き実情に鑑みこれらの課題を解決することを目的として創作されたものであって、遊技球を溜める受け皿に、遊技球を球箱に排出するための球抜き孔が形成された弾球遊技機において、前記受け皿の下部には、前記球抜き孔から落下する遊技球に干渉し、遊技球の落下速度を低減させる落下速度低減部が設けられることを特徴とする。このようにすると、球抜き孔から落下する遊技球の落下速度を低減できるので、球抜き孔から落下した遊技球が球箱の底面で勢いよくバウンドすることを抑制し、球箱からの飛び出しを防止できる。これにより、遊技球の飛び出しによる遊技者の損失や、ホール内における遊技球の散乱を回避できる。
また、前記落下速度低減部は、前記球抜き孔から落下する遊技球に干渉し、かつ、干渉した遊技球を左右方向及び／又は前後方向に誘導する傾斜面を備えることを特徴とする。このようにすると、落下速度低減部における遊技球の滞留を回避できるだけでなく、球箱における遊技球の落下位置を分散し、球箱内の遊技球を均平化することができる。
また、前記落下速度低減部は、前記受け皿に対して着脱自在に設けられることを特徴とする。このようにすると、落下速度低減部をその要・不要に応じて着脱することができる。例えば、島の球箱設置面と受け皿との距離が十分でなく、球箱の出し入れに際して落下速度低減部が邪魔になる場合、落下速度低減部を取り外すことができる。
また、前記落下速度低減部は、前記受け皿に対して上下位置調節自在に設けられることを特徴とする。このようにすると、島の球箱設置面と受け皿との距離や球箱のサイズに応じて落下速度低減部の上下位置を任意に調節することができる。
【発明の効果】
【０００６】
以上のように構成された本発明によれば、受け皿の球抜き孔から落下する遊技球が落下速度低減部に干渉し、その落下速度が低減されるので、球抜き孔から落下した遊技球が球箱の底面で勢いよくバウンドすることを抑制し、球箱からの飛び出しを防止できる。これにより、遊技球の飛び出しによる遊技者の損失や、ホール内における遊技球の散乱を回避できる。
【発明を実施するための最良の形態】
【０００７】
次に、本発明の実施の形態について、図面に基づいて説明する。図１及び図２において、１はパチンコ遊技機であって、該パチンコ遊技機１は、パチンコ島に固定される外枠２に対して、開閉自在に取り付けられる。パチンコ遊技機１の側方隣接位置には、台間玉貸し機３が並設され、この台間玉貸し機３に、現金又はプリペイドカードを投入することにより、台間玉貸し機３又はパチンコ遊技機１から遊技球が貸し出され、パチンコ遊技が可能になる。
【０００８】
パチンコ遊技機１の正面部は、遊技球が発射される遊技盤４と、その前方を覆う開閉自在なガラス枠５と、遊技球を溜める上皿（受け皿）６と、上皿６でオーバーフローした遊技球を溜める下皿（受け皿）７と、遊技球の発射操作を行う発射ハンドル８と、遊技球の貸出操作を行う貸出操作部９と、効果音を発生するスピーカ１０と、遊技者によって操作される演出ボタンＢとを備えており、また、パチンコ遊技機１の背面部は、払出用の遊技球を溜める遊技球タンク１１と、遊技球タンク１１内の遊技球を上皿６に払い出す賞球払出装置１２と、遊技球を発射する発射モータ１３と、各種の制御基板とを備えている。
【０００９】
図１、図３及び図４に示すように、下皿７は、底部７ａと、底部７ａの前端部から立ち上がる前壁部７ｂと、底部７ａの左右両端部から立ち上がる左右の側壁部７ｃと、下皿７内の遊技球を球箱１４に排出するための球抜き孔７ｄと、球抜き孔７ｄを開閉するための球抜き孔開閉機構１５と、下皿７の下部に設けられる落下速度低減部１６とを備えて構成され、パチンコ遊技機１の正面下部に前方突出状態で取付けられる。球抜き孔７ｄは、下皿７の底部７ａに形成されており、例えば、遊技球の径寸法よりも十分に大きい丸孔形状を有する。球抜き孔開閉機構１５は、球抜き孔７ｄを開閉できるものであれば構造に制限はなく、例えば、球抜き孔７ｄを開閉するスライド式のシャッタ（図示せず）と、シャッタに一体的に連結される球抜き操作レバー１５ａと、シャッタ又は球抜き操作レバー１５ａを閉じ方向に付勢するバネ（図示せず）とを用いて構成することができる。
【００１０】
落下速度低減部１６は、下皿７の球抜き孔７ｄから球箱１４の底部に至る落下経路の途中で遊技球に干渉し、遊技球の落下速度を低減させるように構成されている。例えば、球抜き孔７ｄの下方で遊技球に干渉する干渉板部１６ａと、該干渉板部１６ａの端部から上方に延出して下皿７に固定される固定部１６ｂとを備えて構成される。このような落下速度低減部１６を下皿７に設けると、球抜き孔７ｄから落下した遊技球が球箱１４の底面で勢いよくバウンドすることが抑制されるので、遊技球が球箱１４から飛び出す可能性を低減できる（図３参照）。
【００１１】
また、干渉板部１６ａの上面は、干渉した遊技球を左右方向及び／又は前後方向に誘導する傾斜面１６ｃとすることが好ましい。例えば、図４に示す第一実施形態の干渉板部１６ａは、遊技球を左右方向に誘導する正面視∧形状の傾斜面１６ｃを備え、図５に示す第二実施形態の干渉板部１６ａは、遊技球を前後方向に誘導する側面視∧形状の傾斜面１６ｃを備え、図６に示す第三実施形態の干渉板部１６ａは、遊技球を左右前後方向（３６０°）に誘導する円錐形状の傾斜面１６ｃを備える。このようにすると、干渉板部１６ａ上における遊技球の滞留を回避できるだけでなく、球箱１４における遊技球の落下位置を分散し、球箱１４内の遊技球を均平化することができる。
【００１２】
また、落下速度低減部１６は、下皿７に対して着脱自在に設けられることが好ましい。例えば、図７に示す第四実施形態の落下速度低減部１６は、固定部１６ｂの上端部にフランジ部１６ｄを有し、このフランジ部１６ｄを下皿７に固定するビス１７の操作に応じて着脱できるようにしてある。このようにすると、落下速度低減部１６をその要・不要に応じて着脱することができるので、例えば、島の球箱設置面と下皿７との距離が十分でなく、球箱１４の出し入れに際して落下速度低減部１６が邪魔になる場合、落下速度低減部１６を取り外すことができる。
【００１３】
また、落下速度低減部１６は、下皿７に対して上下位置調節自在に設けることができる。例えば、図８に示す第五実施形態の落下速度低減部１６は、下皿７に固定される固定側部材１６ｅと、該固定側部材１６ｅに対して上下スライド自在に内嵌される可動側部材１６ｆとに分割形成され、固定側部材１６ｅの外周側からねじ込まれるビス１８により、可動側部材１６ｆを任意の上下位置で固定できるようにしてある。このようにすると、島の球箱設置面と下皿７との距離や球箱１４のサイズに応じて落下速度低減部１６（干渉板部１６ａ）の上下位置を任意に調節することができる。
【００１４】
叙述の如く構成された本実施形態のパチンコ遊技機１は、遊技球を溜める下皿７の底部に、遊技球を球箱１４に排出するための球抜き孔７ｄが形成されたものであって、下皿７の下部には、球抜き孔７ｄから落下する遊技球に干渉し、遊技球の落下速度を低減させる落下速度低減部１６が設けられるので、球抜き孔７ｄから落下した遊技球が球箱１４の底面で勢いよくバウンドすることを抑制し、球箱１４からの飛び出しを防止できる。これにより、遊技球の飛び出しによる遊技者の損失や、ホール内における遊技球の散乱を回避できる。
【００１５】
また、第一〜第三実施形態の落下速度低減部１６は、球抜き孔７ｄから落下する遊技球に干渉し、かつ、干渉した遊技球を左右方向及び／又は前後方向に誘導する傾斜面１６ｃを備えるので、落下速度低減部１６における遊技球の滞留を回避できるだけでなく、球箱１４における遊技球の落下位置を分散し、球箱１４内の遊技球を均平化することができる。
【００１６】
また、第四実施形態の落下速度低減部１６は、下皿７に対して着脱自在に設けられるので、落下速度低減部１６をその要・不要に応じて着脱することができる。例えば、島の球箱設置面と下皿７との距離が十分でなく、球箱１４の出し入れに際して落下速度低減部１６が邪魔になる場合、落下速度低減部１６を取り外すことができる。
【００１７】
また、第五実施形態の落下速度低減部１６は、下皿７に対して上下位置調節自在に設けられるので、島の球箱設置面と下皿７との距離や球箱１４のサイズに応じて落下速度低減部１６（干渉板部１６ａ）の上下位置を任意に調節することができる。
【００１８】
なお、本発明は、前記実施形態に限定されないことは勿論である。例えば、本実施形態のパチンコ遊技機１は、受け皿として上皿６及び下皿７を備え、落下速度低減部１６を下皿７に設けているが、受け皿として下皿を備えない弾球遊技機（上皿、下皿一体型）においても、本発明を実施できることは言うまでもない。例えば、遊技球を溜める上皿に、遊技球を球箱に排出するための球抜き孔が形成された弾球遊技機において、前記上皿の下部に、前記球抜き孔から落下する遊技球に干渉し、遊技球の落下速度を低減させる落下速度低減部を設けた場合も、本発明の実施に該当する。
【図面の簡単な説明】
【００１９】
【図１】第一実施形態に係るパチンコ遊技機の正面図である。
【図２】第一実施形態に係るパチンコ遊技機の背面図である。
【図３】第一実施形態に係るパチンコ遊技機の球抜きを示す要部概略側面断面図である。
【図４】（Ａ）は第一実施形態に係るパチンコ遊技機の下皿部分を示す概略平面図、（Ｂ）は概略正面図、（Ｃ）は要部概略正面断面図である。
【図５】（Ａ）は第二実施形態に係るパチンコ遊技機の下皿部分を示す概略平面図、（Ｂ）は概略正面図、（Ｃ）は要部概略側面断面図である。
【図６】（Ａ）は第三実施形態に係るパチンコ遊技機の下皿部分を示す概略平面図、（Ｂ）は概略正面図、（Ｃ）は要部概略正面断面図、（Ｄ）は要部概略側面断面図である。
【図７】（Ａ）は第四実施形態に係るパチンコ遊技機の下皿部分を示す概略正面図、（Ｂ）は概略側面図である。
【図８】（Ａ）は第五実施形態に係るパチンコ遊技機の下皿部分を示す概略正面図、（Ｂ）は概略側面図である。
【図９】従来例に係るパチンコ遊技機の球抜きを示す要部概略側面断面図である。
【符号の説明】
【００２０】
１      パチンコ遊技機
６      上皿（受け皿）
７      下皿（受け皿）
７ｄ    球抜き孔
１４    球箱
１６    落下速度低減部
１６ａ  干渉板部
１６ｂ  固定部
１６ｃ  傾斜面
１６ｄ  フランジ部
１６ｅ  固定側部材
１６ｆ  可動側部材
【図１】
2007144042.tif 000003
【図２】
2007144042.tif 000004
【図３】
2007144042.tif 000005
【図４】
2007144042.tif 000006
【図５】
2007144042.tif 000007
【図６】
2007144042.tif 000008
【図７】
2007144042.tif 000009
【図８】
2007144042.tif 000010
【図９】
2007144042.tif 000011